(57)【要約】【課題】  書籍に掲載されている画像について、ポスターとして顧客に販売するサービスを行うことを可能にし、更に書籍自体の販売促進を向上するようにしたポスターの販売方法を提供する。【解決手段】  予め複数の画像データが登録された画像データベースに登録されている複数の画像データを使用して、複数の画像が掲載された書籍を作製するステップと、書籍を作製する際に、書籍に掲載されている複数の画像の中から顧客の注文に応じた画像をポスターにして販売することを告知する情報と、該ポスターを注文する方法に関する情報とを書籍に付加するステップと、書籍を顧客に販売するステップと、書籍を購入した顧客からのポスターの注文情報に基づいて、画像データベースに登録されている複数の画像データの中から注文に応じた画像を抽出して、該画像が表示されたポスターを作製するステップと、作製したポスターを顧客に納品するステップとからなる。【選択図】        図1
2005242402.tif 000002
【特許請求の範囲】
【請求項１】
予め複数の画像データが登録された画像データベースを使用し、顧客の注文に応じた画像が表示されたポスターを作製して販売するポスターの販売方法であって、
前記画像データベースに登録されている複数の画像データを使用して、複数の画像が掲載された書籍を作製するステップと、前記書籍を作製する際に、前記書籍に掲載されている複数の画像の中から顧客の注文に応じた画像をポスターにして販売することを告知する情報と、該ポスターを注文する方法に関する情報とを前記書籍に付加するステップと、  前記書籍を顧客に販売するステップと、前記書籍を購入した顧客からのポスターの注文情報に基づいて、前記画像データベースに登録されている複数の画像データの中から注文に応じた画像を抽出して、該画像が表示されたポスターを作製するステップと、前記作製したポスターを前記顧客に納品するステップと、からなることを特徴とするポスターの販売方法。
【請求項２】
前記書籍に、前記顧客がポスターを注文する際に使用する払込書が付加されていることを特徴とする請求項１記載のポスターの販売方法。
【発明の詳細な説明】
【技術分野】
【０００１】
本発明は、予め複数の画像データが登録された画像データベースを使用し、顧客の注文に応じた画像が表示されたポスターを作製して販売するポスターの販売方法に関する。
【背景技術】
【０００２】
従来、書店などで種々の画集や写真集などが販売されている。
例えば、画集としては、アニメの原画を集めたアニメ原画集や、絵画などを集めた絵画集などがあり、また写真集としては、アイドル、タレント、歌手、俳優、女優、スポーツ選手、などの人物を集めた人物写真集や、風景、鉄道、飛行機、船、動物、植物、などのを集めた写真集など、様々な内容の写真集が販売されている。
【０００３】
通常、これらの画集や写真集を購入する顧客は、その画集や写真集の内容に関する趣味を持っている場合が多く、顧客の中には、購入した画集や写真集の中から特に気に入った画像や写真を切り取って、部屋などにいつでも見られる状態で飾っておくこともある。
しかしながら、画集や写真集の大きさは、書店などの店頭に並べて販売することを前提としてあるので、大きなサイズの画集や写真集でも、Ａ３サイズやＢ４サイズなどであり、これらの大きさの画集や写真集から顧客が特に気に入った画像や写真を切り取ったとしても、購入時のサイズよりも大きな画像や写真を飾ることができない。
【０００４】
もしも、購入時の画集や写真集に掲載されている画像や写真よりも大きなサイズの画像や写真を部屋に飾りたい場合には、自分でデジタルカメラを使用して、画集や写真集に掲載されている画像や写真を撮影して、所望のサイズに拡大することも可能であるが、これには手間や時間もかかり、更に拡大するサイズにも限界があり、また拡大するに伴って画質の精度が荒くなり見た目が落ちるという問題がある。
したがって、デジタルカメラで画集や写真集を撮影して複製した場合には、マニアが望む高い要求を満たすことができないという問題がある。
【０００５】
上記のように、画集や写真集を購入する顧客にとって、画集や写真集に掲載されている画像や写真の中から、自分が特に気に入った画像や写真を拡大して、自分の部屋などにポスターとして表示し、いつでも眺められる状態で飾っておきたいと思うのは様々な分野のマニアにとって当然の願望であり、現状では、このようなマニアの願望を満たすサービスは無く、顧客サービスの点からも不十分であるという問題がある。
【０００６】
従来公知の技術としては、インターネットを介して納入希望者に絵画・写真の複製品の販売情報として提供し、アクセスした購入希望者からは、電子メール、ＦＡＸ、電話等のサブ通信システムを介して受注するシステムがある。（例えば、特許文献１参照）
しかしながら、この公知技術には、インターネットで顧客が購入を希望する絵画や写真を選択して、その選択した絵画や写真を絵画集や写真集などとして顧客に納品するものであって、予め購入した絵画集や写真集に掲載された絵画や写真の中から、特に顧客が望む絵画や写真をポスターとして顧客に提供するサービスとは異なるものである。
【特許文献１】特開２００１−３３１６６２
【発明の開示】
【発明が解決しようとする課題】
【０００７】
本発明は、図柄や写真等の複数の画像が掲載された書籍を購入した顧客に対して、その書籍に掲載されている画像の中から顧客が所望する画像について、高い画像精度を有する拡大画像によりポスターとして表示して、そのポスターを顧客に販売するサービスを行うことを可能にすると共に、ポスターの販売サービスを書籍に付加することで、書籍自体の販売促進の向上が期待できるポスターの販売方法を提供する。
【課題を解決するための手段】
【０００８】
本発明のポスターの販売方法は、予め複数の画像データが登録された画像データベースを使用し、顧客の注文に応じた画像が表示されたポスターを作製して販売するポスターの販売方法であって、前記画像データベースに登録されている複数の画像データを使用して、複数の画像が掲載された書籍を作製するステップと、前記書籍を作製する際に、前記書籍に掲載されている複数の画像の中から顧客の注文に応じた画像をポスターにして販売することを告知する情報と、該ポスターを注文する方法に関する情報とを前記書籍に付加するステップと、前記書籍を顧客に販売するステップと、前記書籍を購入した顧客からのポスターの注文情報に基づいて、前記画像データベースに登録されている複数の画像データの中から注文に応じた画像を抽出して、該画像が表示されたポスターを作製するステップと、前記作製したポスターを前記顧客に納品するステップと、からなることを特徴とする。
【０００９】
また、本発明のポスターの販売方法は、前記顧客がポスターを注文する際に使用する払込書が付加されていることを特徴とする。
【発明の効果】
【００１０】
本発明のポスターの販売方法は、図柄や写真等の複数の画像が掲載された書籍を購入した顧客が、その書籍に掲載されている画像の中から特に気に入った画像を選択して、ポスターとして表示させて入手することができると共に、そのポスターを作製する際に、その書籍を作製する際に用いた画像データと同じ画像データを使用して、拡大画像をポスターに表示できるので、高い画像精度を有するポスターを顧客に販売するサービスを行うことができ、書籍を購入した顧客に対してより高い満足感を与えることができるという効果がある。
【００１１】
また、本発明のポスターの販売方法は、顧客がポスターを注文する際に書籍に付加されている払込書を用いて代金支払いをしてポスターの注文を行うようにすることで、その書籍を購入した顧客だけがポスターの注文サービスを受けられ、拡大画像を有するポスターがほしいと希望するマニアに対して、書籍の購入に対する強い動機付けを与えることが期待でき、書籍の販売促進が図れるという効果がある。
【発明を実施するための最良の形態】
【００１２】
以下、図面を参照しながら本発明の実施形態を詳述する。
図１は、本発明の実施形態に係るポスターの販売方法の概要を説明する図、図２は、本発明の実施形態に係るポスターの販売方法に用いる書籍に付加するチラシの表面図、図３は、本発明の実施形態に係るポスターの販売方法に用いる書籍の斜視図、図４は、本発明の実施形態に係るポスターの販売方法の処理手順を示すフローチャートである。
【００１３】
本発明の実施形態に係るポスターの販売方法は、図１に示すように、印刷会社１において書籍２を作製する際に用いる画像データを、予め画像データベース３に蓄積しておき、その後、書籍２を購入した顧客からのポスター注文があった際に、この画像データベース３に蓄積されている画像データを利用して、顧客が希望する画像をポスター用紙にプリントして表示し、そのポスターを顧客に納品するものである。
【００１４】
つまり、顧客に提供するポスターに表示する画像は、顧客が購入した書籍に掲載されたのと同じ画像データベース３に蓄積されているデジタルデータの画像データを使用して、拡大サイズとするので、ポスターとして作製した場合でも、画像精度の高い品質のポスターを顧客へ提供可能になっている。
【００１５】
印刷会社１で保有する画像データベース３には、デジタルデータとして、例えば、写真、絵画、漫画、イラスト、書画、などの画像データが蓄積されている。
これらのデジタルデータは、原画をスキャナーで読み取ってデジタルデータとして記憶させたり、デジタル写真機や撮影機で撮影したデジタルデータを蓄積させるなどしてデータベースとして構築させている。
したがって、画像データベース３に登録されている画像データがデジタルデータなので、それらの画像データを所望のサイズに縮小または拡大させてプリント出力させることができるようにしてある。
【００１６】
画像データベース３に登録されているデジタルデータの画像データを使用して大型ポスターなどを作製する場合には、大型のインクジェットプリンタを使用することで種々のサイズのプリント出力が可能になり、ポスターに用いるシートとしても、例えば、半光沢用紙（コート系）、厚手マット紙（マット系）、クロス、バックライトフィルム、等のシートに画像データをプリント出力したポスターを作製することができる。
また、プリント出力したポスターは、丸めた状態やシート状のまま箱に入れた状態で顧客に納品したり、更に、種々の額縁に入れたり、ベースシートに密着させた状態にしたりして加工した状態で顧客に納品するなどしてもよい。
【００１７】
図１には、本発明の実施形態に係るポスターの販売方法の一例として、画像データベース３に登録されているアイドル歌手の写真の画像データを利用して、印刷会社１でアイドル歌手の写真集である書籍２を作製し、書店などでその書籍２を顧客５に販売する場合について示してある。
【００１８】
まず、印刷会社１において、画像データベース３に登録されているアイドル歌手の写真の画像データを用いて書籍２を作製するが、その書籍２を作製する際に、チラシ６を付加させておく。
このチラシ６は、書籍２に綴り合わせた状態としたり、また書籍２の内部や表裏面に添付させた状態としてもよく、いずれにしても、顧客５が書籍２を購入した際にチラシ６も顧客５に届く状態として構成されていればよい。
【００１９】
チラシ６には、図２に示すように、「ポスター販売サービスの御案内」として、書籍２に掲載されている複数の写真からなる画像の中から、顧客の注文に応じた画像をポスターにして販売することを告知する告知情報６ａと、顧客２が希望する場合に、そのポスターを注文する方法に関する注文方法情報６ｂとが掲載されている。
【００２０】
告知情報６ａとしては、例えば、書籍２に掲載されている写真の画像がポスターにした場合は、等身サイズなどの拡大写真としてお手元に届けられるとか、また、少なくとも書店などで販売されている写真集では手に入らないサイズのアイドルの写真がポスターとして入手可能であるなど、マニアにおける潜在化したニーズを満たすようなサービスを行っていることを顧客に知らせる情報であることが好ましい。
【００２１】
更に、この「ポスター販売サービス」については、その書籍２を購入した顧客の特権として書籍２の購入者だけに対して提供されるサービスである旨の情報も記載することが好ましい。
これにより、アイドル歌手の写真を拡大させたポスターを入手したいと希望するそのアイドル歌手のファンは、取り合えずアイドル歌手の写真集の書籍２を購入する必要があり、ファンに対して書籍２を購買する強い動機付けを与えることができ、書籍２の販売促進も期待できる。
【００２２】
また、チラシ６の一部には、書籍２を購入した顧客５が「ポスター販売サービス」を希望する場合に、ポスターの代金支払いに使用するための指定された専用の払込書６ｃが切り取り可能に設けられている。
この払込書６ｃは、郵便局または銀行などで代金の払い込みが可能な払込書であり、払込書６ｃの通信欄などに顧客５がポスターに表示してもらいたい写真の画像を特定するための写真名や管理番号などを記入して、ポスター販売の申込書としても使用するものである。
【００２３】
このチラシ６は、「ポスター販売サービス」を行う書籍２の仕様に応じて、サイズや書籍に付加させる方法を定めればよい。
例えば、図３に示す書籍の仕様では、書籍２の表面に帯状のカバー７を設け、この帯状のカバー７に、その書籍には「ポスター販売サービス」があり、また「ポスター販売サービス」を受けるのに必要な専用の払込書が付いていることを印刷させておくことで、顧客の関心を引き、更にこの帯状のカバー７に上記したチラシと同様の告知情報６ａと注文方法情報６ｂとを掲載し、カバー７の一部を専用の払込書として設けるようにしてもよい。
【００２４】
このように、帯状のカバー７により「ポスター販売サービス」に必要な情報や専用の払込書を書籍２に付加させれば、書籍２の印刷、製本が終了後に、「ポスター販売サービス」を付加させる書籍だけに帯状のカバー７を設ければよいので、どのような書籍にも「ポスター販売サービス」を実施することができて便利である。
【００２５】
また、週刊誌や月刊誌などのように高級な用紙を使用しない書籍の場合には、書籍を印刷、製本する工程で、「ポスター販売サービス」に関する告知情報６ａと注文方法情報６ｂとを掲載しておき、また書籍の頁内に専用の払込書を印刷させて設けておくことで、顧客が書籍の払込書の部分を切り取って、代金支払いとポスターの申込みを行えるようにしてもよい。
【００２６】
次に、本発明の実施形態に係るポスターの販売方法の処理手順を、図１と、図４のフローチャートに基づいて説明する。
まず、印刷会社１において、画像データベース３に登録されている画像データを用いて書籍２を作製する。（ステップＳ１）
また、その書籍２を作製する際に、「ポスター販売サービスの御案内」の告知情報６ａと、ポスター注文に関する注文方法情報６ｂとが掲載され、更に、専用の払込書が印刷されたチラシを書籍２に付加させる。（ステップＳ２）
【００２７】
作製された書籍２を印刷会社１から出版会社８に納品した後、出版会社８から各書店に納品し、書店９で顧客に５に販売する。（ステップＳ３）
その書籍２を購入した顧客５が、チラシを見て、「ポスター販売サービス」を利用する場合には、チラシ６に設けられている専用の払込書６ｃに顧客が、ポスターとしてほしいと希望する画像を特定した情報を払込書６ｃに記入の上、払込書６ｃを利用して代金の支払いを行い、ポスター４の注文を出版会社８に行う。（ステップＳ４）
【００２８】
ポスター４の注文を受けた出版会社８は、注文情報の集計を行い、印刷会社１に対してポスター注文及び顧客へのポスターの発送依頼を行う。（ステップＳ５）
ポスターの注文を受けた印刷会社１では、書籍２を作製した時に使用した画像データベース３に登録されて画像データと同じ画像データを使用して、顧客５から希望のあった画像をポスター用紙にプリント出力したポスター４を作製する。（ステップＳ６）
作製したポスター４を印刷会社１から顧客５に発送して納品する。（ステップＳ７）
【００２９】
以上のように、顧客５がポスター４の注文のために払込書６ｃを使用した場合に、そのポスター注文の情報が出版会社８に行なわれることで、ポスター注文をしてきた顧客の情報が出版会社８に集まり、これらの顧客情報を顧客データベースとして蓄積させるなどして、将来的なマーケッティング活動などに役立てることができるという利点がある。
このように、出版会社８にとっては、自社は出版した多くの写真集や画集などがどのような顧客に販売されたのかが不明であるが、「ポスター販売サービス」を書籍に付加させることで、顧客情報の収集や購買動向などを把握できるというメリットがある。
【００３０】
また、本発明のポスターの販売方法における書籍としては、書店で販売されるものに限定されるものではなく、コンビニエンスストアー、種々の売店、通信販売、映画館、劇場、競技場、野球場、コンサートホール、などで販売される書籍にも適応できるものである。
更に、書籍としては、上記した写真集、画集、週刊誌、月間誌などのほかにも、映画・観劇・コンサートなどのパンフレット、などにも広く適応することができ、それらの書籍に掲載された写真・劇画・絵画・イラスト、などの画像から顧客が拡大画像として入手したいと希望する画像をポスターとして販売し提供できるものである。
【図面の簡単な説明】
【００３１】
【図１】本発明の実施形態に係るポスターの販売方法の概要を説明する図である。
【図２】本発明の実施形態に係るポスターの販売方法に用いる書籍に付加するチラシの表面図である。
【図３】本発明の実施形態に係るポスターの販売方法に用いる書籍の斜視図である。
【図４】本発明の実施形態に係るポスターの販売方法の処理手順を示すフローチャートである。
【符号の説明】
【００３２】
１  印刷会社
２  書籍
３  画像データベース
４  ポスター
５  顧客
６  チラシ
６ａ  告知情報
６ｂ  注文方法情報
６ｃ  払込書
７  カバー
８  出版会社
９  書店
【図１】
2005242402.tif 000003
【図２】
2005242402.tif 000004
【図３】
2005242402.tif 000005
【図４】
2005242402.tif 000006